(57)【要約】
【目的】　座面の斜め昇降の軸によってガススプリングのバネを利用して取り付け位置の微調整によって反力と角度を、体重・体型に適応させて足腰への負担の軽減とポットを囲むフレ−ムによるふたの開閉とその納めを容易にして、更に防臭への対策が本考案の目的である。
【構成】　ガススプリングと位置調整板との組合わせによって座面を昇降させて、ポットを囲むフレームとそのスライド式蓋による開閉と防臭のための機密性を保つ構成となっている。
【選択図】　図１
0003100371.tif 000002
【実用新案登録請求の範囲】
【請求項１】
　本体の座板を斜めに固定し、本体の座板の裏には異型位置調整板を、また、本体の下部に角型位置調整板を配置し、両者をガススプリングを取り付けたヒンジベースで接合することによって、座面を斜めに昇降させるポータブルトイレ。
【請求項２】
　本体の内部に設置したポットを囲むフレームの蓋とスライドレールを組合わせ、スライド式の開閉にし、また、フレームにパッキンを取り付け、本体の取り出し口蓋とスライド式蓋を開閉する自在板に吸着板及び本体にマグネットを設置する二重蓋の構成をとる、座面斜め昇降ポータブルトイレ。
【考案の詳細な説明】
【技術分野】
【０００１】　この考案は、障害者や高齢者の用便に伴う足腰などの負担を軽減させるために、座面を斜めに昇降させるポータブルトイレに関するものである。
【背景技術】
【０００２】　ポータブルトイレとしては、従来、本体の下部にポットと便座を置いたもの、消臭に重点をおいたもの、デザインを重視したものなどがみられる。【０００３】　しかし、これらのポータブルトイレは、いずれも、障害者や高齢者の用便に伴う足腰などの負担を配慮したものではない。
【考案の開示】
【考案が解決しようとする課題】
【０００４】　この考案が解決しようとする問題点は、次の通りである。
　（イ）障害者や高齢者の用便にあたり、既存のものでは足腰に負担がかかるために、トイレの便座に腰掛け易くし、その負担を軽減する必要がある。
　（ロ）障害者や高齢者の用便にあたり、既存のものではポットの蓋の開閉に負担がかかるために、その開閉を容易にし、その負担を軽減する必要がある。
　（ハ）ポータブルトイレの使用をしていない時にも、既存のものではポットの蓋から臭気が漏れるために、それを解消し、室内の生活を快適にする必要がある。
【課題を解決するための手段】
【０００５】　この考案が解決する手段は、次の通りである。
　（イ）請求項１に係る座面斜め昇降ポータブルトイレは、本体の前面左右に蝶番（８）を設置し、座板（６）を斜めに固定する。本体の座板（６）の裏には異型位置調整板（３）を、また、本体の下部には角型位置調整板（９）を配設する。これらの調整板をガススプリング（１）を左右に取り付けたヒンジベース（２）で接合する。
　（ロ）請求項２に係る座面斜め昇降ポータブルトイレは、本体の内部にはポット（１８）を囲むフレ−ム（１３）を装置する。フレーム（１３）の上部に装置したスライドレ−ル（２３）にスライド式蓋（２０）を嵌め込み、フレーム（１３）に防臭用パッキン（１７）を装着し、スライド式蓋（２０）の移動に伴って開閉する自在板（１２）を設置する。本体の出し入れ口蓋（１４）と自在板（１２）に吸着板（１６）、また、本体にマグネット（１５）を設置する。
【考案の効果】
【０００６】　この考案の効果は、次の通りである。
　（イ）この考案は、障害者や高齢者の体重や体型に応じて、本体の座面の角度と反力を調整できるので、腰掛け易くなり、足腰の負担を軽減する。
　（ロ）この考案は、フレーム（１３）のスライドレール（２３）にスライド式蓋（２０）を嵌め込み、スライド式の開閉とし、開閉に伴う負担を軽減する。
　（ハ）この考案は、フレーム（１３）に装着した防臭用パッキン（１７）によって気密状態となり、また、自在板（１２）とマグネット（１５）の二重蓋の構成によって、開閉時の着脱に伴う臭気漏れを最小にする。
【考案を実施するための最良の形態】
【０００７】　この考案の最良の実施形態は、次の通りである。
　（イ）本体の前面の左右に便座（１０）を昇降させる回転軸となる蝶番（８）を設置し、座板（６）を斜めに固定する。本体の座板（６）の裏には異型位置調整板（３）を、また、本体の下部には角位置調整板（９）を配置する。これらの調整板をガススプリング（１）を左右に取り付けたヒンジベース（２）で接合する。
　これによって、障害者や高齢者は、便座折れ蓋（４）を背もたれ（５）に立て掛け、便座に腰を掛けて上体を座面にあずけると、体重の重圧でスプリングの反力が働き降下し、また、立ち上がる時は上体をわずかに前屈みにすると、バネの反力が働き、簡単に立ち上がることができる。
　（ロ）本体の内部にはポット（１８）を囲むフレーム（１３）を装置する。フレーム（１３）の上部に装置したスライドレール（２３）にスライド式蓋（２０）を嵌め込み、スライド式蓋（２０）の移動に伴って開閉する自在板（１２）を設置する。
　これによって、フレーム（１３）のスライド式蓋（２０）を後方にスライドさせて開け、また、前方にスライドさせて閉めることができるし、また、ポット蓋（１９）をフレームカバー（２１）の上に納めて、開閉の動作を最小にできる。
　（ハ）フレーム（１３）に防臭用パッキン（１７）を装着する。本体の出し入れ口蓋（１４）と自在板（１２）に吸着板（１６）、また、本体にマグネット（１５）を設置する。
　これによって、使用していないとき、防臭用パッキン（１７）によって気密状態となり、臭気漏れを解消し、また、自在板（１２）とマグネット（１５）によって、開閉時の着脱に伴う臭気漏れを最小にする。
【実施例】
【０００８】　本考案の実施例は、次の通りである。
　（イ）図１のように、障害者や高齢者を座り易すくするために、本体を椅子型の形状とし、左右に肘掛けを配し、後部に背もたれ（５）を設置する。
　（ロ）図１のように、ベット側からトイレへの障害者や高齢者を移動し易くするために、肘掛けの取り外しができるようにする。床から座面までの高さ又は座面から肘掛けまでの高さを調整し、障害者や高齢者の体型に適応できるようにする。
　（ハ）図１及び図２のように、本体の前面にある板の左右に、便座（１０）を昇降させる回転軸となる蝶番（８）を設置し、蝶番（８）をもって座板（６）を斜めに昇降させるように本体に固定する。
　（ニ）図１のように、座板（６）の両端の裏面に異型位置調整板（３）を、また、両端の下部に角型位置調整板（９）を設置する。これらの調整板を配設し、それぞれにヒンジベース（２）を設置し、ガススプリング（１）を左右に取り付け、反力や角度を均一にし、昇降を安全かつスムーズにする。
　（ホ）ガススプリング（１）のタイプは、反力及びストロークの異なる４種類のタイプを採用し、使用する本人の体重を確認の上で適応するタイプを選択し、位置設定の指示と表示によって利用者に供給する。
　（ヘ）図７のように、ガススプリング（１）のシリンダー（２９）部分にヒンジベース（２）をヒンジピン（１１）で止め、ボルト穴（２８）をボルトで固定し、ヒンジベース（２）を異型位置調整板（３）に組付け、ビス穴（２６）をビスで止め、異型位置調整板（３）を本体の座板（６）の裏面に組付ける。
　（ト）図６のように、ガススプリング（１）のロッド（２５）部分にヒンジベース（２）をヒンジピン（１１）で止め、ボルト穴（２８）をボルトで固定し、ヒンジベース（２）を角型位置調整板（９）に組付け、図８及び図９のように、本体の下部の桁木（７）の上に乗せて腰掛け易い角度を目安としている表示位置３０°でビス穴（２６）にビス止めし、角型位置調整板（９）を本体の下部に組付ける。
　（チ）図７及び図６のように、本体の座板（１０）の裏面に組付けた異型位置調整板（３）に、また、本体の下部の桁木（７）に組み付けた角型位置調整板（９）に、それぞれ、五つのエンサートネジ（２７）を埋め込み、ヒンジベース（２）を移動することによって、体重や体型に合わせて反力と角度を微調整できるようにする。
　（リ）図１のように、便座（１０）と折れ蓋（４）を座板（６）に装着する。また、図２及び図３のように、本体の内部には、臭気漏れを防止するために、ポット（１８）を囲むフレーム（１３）を装置する。
　（ヌ）図４及び図５のように、フレーム（１３）の上部に装着したスライドレール（２３）とスライド式蓋（２０）を嵌め込み、スライド式に開閉できるようにする。図３及び図４のように、ポットの蓋（１９）を納めるフレームカバー（２１）、また、スライド式蓋（２０）の移動に伴って開閉する自在板（１２）を本体に設置する。
（ル）図５のように、フレーム（１３）に防臭用パッキン（１７）を装着し、また、図２のように、本体の出し入れ口蓋（１４）と自在板（１２）に吸着板（１６）及び本体にマグネット（１５）を設置し、出し入れ口蓋（１４）を自在板（１２）に密着して閉じられるようにする。
【図面の簡単な説明】
【０００９】
【図１】本体を示す説明図である。
【図２】本体への装着を示した斜視図である。
【図３】本考案のフレームのスライド式ふたの開閉と納めを示した側面図である。
【図４】本考案のフレーム全体を示した図である。
【図５】スライドレールとふたの組合わせを示した拡大図である。
【図６】本考案の異型位置調整板とヒンジベースをロッド部分との組合わせで本体下部の桁木に取り付け前を示した図である。
【図７】本考案の異型位置調整板とヒンジベースをシリンダー部分との組合わせで座板裏に取り付け前を示した図である。
【図８】座板裏に取付け位置を示した図である。
【図９】座面角度の合わせと本体下部の固定を示した図である。
【符号の説明】
【００１０】　１　ガススプリング
　２　ヒンジベース
　３　異型位置調整板
　４　便座折れふた
　５　背もたれ
　６　座板
　７　桁木
　８　蝶番
　９　角型位置調整板
１０　便座
１１　ヒンジピン
１２　自在板
１３　フレーム
１４　出し入れ口ふた
１５　マグネット
１６　吸着板
１７　防臭用パッキン
１８　ポット
１９　ポットふた
２０　スライド式ふた
２１　フレームカバー
２２　フレームカバー固定ボルト
２３　スライドレール
２４　スライド式ふた取っ手
２５　ロッド
２６　ビス穴
２７　エンサートネジ
２８　ボルト穴
２９　シリンダー
【図１】
0003100371.tif 000003
【図２】
0003100371.tif 000004
【図３】
0003100371.tif 000005
【図４】
0003100371.tif 000006
【図５】
0003100371.tif 000007
【図６】
0003100371.tif 000008
【図７】
0003100371.tif 000009
【図８】
0003100371.tif 000010
【図９】
0003100371.tif 000011